(57)【要約】【課題】ストロボ発光用のトリガー電圧が、上下カバーを固定するネジにリークすることを防止する。【解決手段】ストロボ発光部２２は、上カバー２０と下カバー２１とによって狭持される。上カバー２０に、ボス２０ａを設けるとともに、下カバー２１に、ネジ取付部２１ａを設ける。ネジ取付部２１ａには、ボス２０ａを係合させる凹部２１ｂ、ネジ２３を挿通させるネジ挿通穴２１ｃ、ネジ取付穴２１ｄが形成されている。凹部２１ｂにボス２０ａを係合させた状態で、ネジ２３をネジ取付穴２１ｄから挿入してネジ挿通穴２１ｃに挿通させ、ネジ挿通穴２１ｃから突出したネジ２３の先端をボス２０ａに嵌め込む。このようにして、ボス２０ａとネジ取付部２１ａとが接合する接合面が凹部２１ｂの側壁で覆われる。【選択図】        図３
2004294880.tif 000002
【特許請求の範囲】
【請求項１】
キセノン放電管、リフレクタ等からなるストロボ発光部、及び前記ストロボ発光部を挟持する２つのカバーを備え、一端に取り付けられた軸によってカメラ本体に軸着され、前記カメラ本体に収納される収納位置と、前記カメラ本体から突出してストロボ光が発光される発光位置との間で変位されるポップアップ式のストロボ装置において、
前記２つのカバーの一方に他方のカバーをネジ止めするボスを設けるとともに、他方のカバーにネジが挿通可能な穴が形成されたネジ取付部を設け、
前記ボスと前記ネジ取付部とのいずれか一方に、他方が挿入可能な凹部を形成し、
前記凹部で前記ボスと前記ネジ取付部とを係合させて２つのカバーをネジ止めすることにより、前記ボスと前記ネジ取付部とが接合する接合面が、前記凹部の側壁によって覆われるようにしたことを特徴とするストロボ装置。
【請求項２】
前記ボスと前記ネジ取付部とは、前記ストロボ発光部と前記軸との間に配置されることを特徴とする請求項１記載のストロボ装置。
【発明の詳細な説明】
【０００１】
【発明の属する技術分野】
本発明は、ストロボ撮影時に、カメラ本体から突出してストロボ光を発光させるポップアップ式のストロボ装置に関するものである。
【０００２】
【従来の技術】
カメラ本体に収納される収納位置と、カメラ本体から突出してストロボ光が発光される発光位置との間で変位されるポップアップ式のストロボ装置を備えたカメラが普及している。ストロボ装置は、例えば、キセノン放電管、リフレクタ等からなるストロボ発光部と、このストロボ発光部を保持するカバーとから構成されている。ストロボ撮影の際には、ユーザーは専用のボタンを操作してストロボ装置を発光位置にポップアップさせ、ストロボ撮影後には、手動でストロボ装置を収納位置に収納する。ストロボ装置が収納位置に変位されると、カバーがカメラの外装体の一部を構成するようになっている。
【０００３】
ストロボ発光部を保持するカバー同士の固定方法として、カバー同士を爪係合する方法が挙げられる。しかし、この固定方法では、外部からの衝撃に耐え得る強度が弱く、使用期間が長期に及ぶとカバー同士にガタが生じやすい。更には、ストロボ装置のメンテナンス等、ストロボ装置を分解する必要のあるときに、爪が破損しやすく、ストロボ装置の組み立て及び分解が困難であるという問題がある。
【０００４】
このため、従来、提案されているストロボ装置の一つとして、ストロボ発光部を取り付けた下カバーに、下カバーを覆う絶縁性のカバーを爪係合して下カバーと絶縁性のカバーとを一体化し、更に、絶縁性のカバーに金属製のカバーを、両側面からネジ止めしたものがある。このストロボ装置によれば、絶縁性のカバーを下カバーと金属製のカバーとの間に設けたので、ストロボ発光部に印加されるトリガー電圧が金属製のカバーにリークすることを防止できる。また、上述したような爪係合ではなく、ネジ止めによってカバー同士を固定しているため、爪係合によってカバー同士を固定した場合に生じる問題を解決できるという利点がある（特許文献１参照）。
【０００５】
【特許文献１】特開平９−４３６９２号公報
【０００６】
【発明が解決しようとする課題】
しかしながら、上記のようなネジ止めによってカバー同士を固定するストロボ装置では、カバー同士を固定してもカバー同士の間に隙間が生じてしまい、この隙間からストロボ発光用のトリガー電圧がネジにリークしてしまうおそれがある。
【０００７】
本発明は、ストロボ発光部に印加されるトリガー電圧が、カバー同士を固定するネジにリークすることを防止することができるストロボ装置を提供することを目的とする。
【０００８】
【課題を解決するための手段】
上記目的を達成するために、本発明のストロボ装置によれば、キセノン放電管、リフレクタ等からなるストロボ発光部、及び前記ストロボ発光部を挟持する２つのカバーを備え、一端に取り付けられた軸によってカメラ本体に軸着され、前記カメラ本体に収納される収納位置と、前記カメラ本体から突出してストロボ光が発光される発光位置との間で変位されるポップアップ式のものであって、前記２つのカバーの一方に他方のカバーをネジ止めするボスを設けるとともに、他方のカバーにネジが挿通可能な穴が形成されたネジ取付部を設け、前記ボスと前記ネジ取付部とのいずれか一方に、他方が挿入可能な凹部を形成し、前記凹部で前記ボスと前記ネジ取付部とを係合させて２つのカバーをネジ止めすることにより、前記ボスと前記ネジ取付部とが接合する接合面が、前記凹部の側壁によって覆われるようにしたことを特徴とするものであり、前記ボスと前記ネジ取付部とを前記ストロボ発光部と前記軸との間に配置することにより、強い強度を確保することができる。
【０００９】
【発明の実施の形態】
図１は、本発明を実施したデジタルカメラ１の前面の構成を示す外観斜視図である。デジタルカメラ１の前面には、撮影レンズ３が組み込まれたレンズ鏡筒４、ファインダを構成する対物側ファインダ窓５等が設けられており、後面には、ファインダを構成する接眼側ファインダ窓や操作部（図示せず）等が設けられている。
【００１０】
デジタルカメラ１の上面には、被写体に向けてストロボ光を照射するポップアップ式のストロボ装置８、シャッタレリーズ操作に用いられるシャッタボタン９等が設けられている。ストロボ装置８は、デジタルカメラ１の側面に設けられたポップアップボタン１０を押圧するとポップアップし、ストロボ撮影後には、手動で元の位置に収納される。
【００１１】
図２、図３に、ストロボ装置８の構成を示す外観斜視図及び断面図を示す。また、図４に、後述する上カバー２０を取り外したストロボ装置８の状態を示す説明図を示す。ストロボ装置８は、軸３０によってカメラ本体２に取り付けられており、カメラ本体２に収納される収納位置と、カメラ本体２から突出してストロボ光が発光される発光位置との間で回動自在となっている。ストロボ装置８は、ポップアップボタン１０を押圧するとともに、バネ３１によって収納位置から発光位置に向けて付勢される。
【００１２】
ストロボ装置８は、上カバー２０と下カバー２１とストロボ発光部２２とから構成されている。上カバー２０と下カバー２１とは、絶縁性の樹脂で形成されている。上カバー２０には、円筒形状のボス２０ａが下方に突出するように形成されており、ボス２０ａの内壁面には、ネジ山が形成されている。
【００１３】
下カバー２１には、ボス２０ａと対向するように、円筒形状のネジ取付部２１ａが形成されている。ネジ取付部２１ａは、その断面がＨ形状となるように形成されている。ネジ取付部２１ａには、凹部２１ｂとネジ挿通穴２１ｃとネジ取付穴２１ｄが形成されている。凹部２１ｂは、ボス２０ａと係合可能な寸法に形成されている。ネジ挿通穴２１ｃは、ネジ２３が挿通可能な寸法に形成されており、ネジ２３が挿通されるとネジ２３の先端部が上方に向かって突出する。ネジ挿通穴２１ｃから突出されたネジ２３の先端部は、ボス２０ａの内壁面に嵌め込まれる。
【００１４】
ストロボ発光部２２は、下カバー２１に組み込まれ、上カバー２０と下カバー２１とで挟持される。ストロボ発光部２２は、プロテクタ４０、キセノン放電管４１、リフレクタ４２等から構成されている。キセノン放電管４１はリード線４３，  ４４を介して、リフレクタ４２はリード線４５を介してカメラ本体２の内部のストロボ回路（図示せず）に接続されている。ストロボ発光時には、リード線４５からリフレクタ４２を介してキセノン放電管４１に高電圧のトリガー電圧が印加されることにより、キセノン放電管４１の内部のキセノンガスが電離し、放電が開始される。放電が開始されると、リード線４３，  ４４を介してストロボ回路のメインコンデンサ（図示せず）からキセノン放電管４１に電流が流されて、キセノン放電管４１が発光される。
【００１５】
次に、上記構成の作用について説明する。ストロボ装置８の組み立ての際には、先ず、下カバー２１にストロボ発光部２２やバネ３１が取り付けられた軸３０等が組み付けられる。次に、ネジ取付部２１ａの凹部２１ｂにボス２０ａが係合される。そして、ネジ２３が下カバー２１の底面側からネジ取付穴２１ｄを経てネジ挿通穴２１ｃに挿通され、ネジ２３の先端部がボス２０ａの内壁面に嵌め込まれる。これにより、上カバー２０と下カバー２１とが固定される。組み立てが完了したストロボ装置８は、カメラ本体２に組み付けられる。
【００１６】
上述したように、本発明のストロボ装置８では、凹部２１ｂにボス２０ａを係合させた状態で、上カバー２０と下カバー２１とをネジ止めして、ボス２０ａとネジ取付部２１ａとが接合する接合面が、凹部２１ｂの側壁に覆われるようにした。これにより、上カバー２０のボス２０ａと、下カバー２１のネジ取付部２１ａとの間の隙間が露呈されないから、ストロボ撮影の際に、キセノン放電管４１に印加されるトリガー電圧がネジ２３にリークすることを防止することができる。
【００１７】
本実施例によれば、ボス２０ａとネジ取付部２１ａとの接合面を覆う凹部２１ｂをネジ取付部２１ａに形成したが、ボス２０ａに形成してもよい。また、ボス２０ａの形状、及びネジ取付部２１ａの形状は、この接合面を露呈させない形状であれば、適宜に形成してよい。
【００１８】
【発明の効果】
以上のように、本発明によれば、上カバーに下カバーをネジ止めするためのボスを設けるとともに、下カバーにネジが挿入可能な穴が形成されたネジ取付部を設け、ネジ取付部にボスが挿入可能な凹部を形成し、この凹部にボスを係合させて上下カバーをネジ止めすることにより、ボスとネジ取付部とが接合する接合面を凹部の側壁によって覆うようにしたから、ストロボ発光部に印加されるトリガー電圧がネジにリークすることを防止することができる。
【００１９】
また、ボスとネジ取付部とを、ストロボ発光部とカメラ本体に取り付けられる軸との間に配置したから、ストロボ装置は、そのほぼ中央部で固定された上下カバーによって強い強度を確保することができる。
【図面の簡単な説明】
【図１】デジタルカメラの前面の構成を示す外観斜視図である。
【図２】ストロボ装置の構成を示す外観斜視図である。
【図３】ストロボ装置の構成を示す断面図である。
【図４】上カバーを取り外したストロボ装置の状態を示す説明図である。
【符号の説明】
１  デジタルカメラ
２  カメラ本体
８  ストロボ装置
２０  上カバー
２０ａ  ボス
２１  下カバー
２１ａ  ネジ取付部
２１ｂ  凹部
２１ｃ  ネジ挿通穴
２２  ストロボ発光部
２３  ネジ
３０  軸
【図１】
2004294880.tif 000003
【図２】
2004294880.tif 000004
【図３】
2004294880.tif 000005
【図４】
2004294880.tif 000006